(57)【要約】【課題】複数の入力端子から入力する映像信号を合成して複数の映像信号に基づく映像を画面分割により表示するための映像信号を出力する映像信号処理装置において、どの入力端子に映像信号を入力しても映像信号を出力できるようにする。【解決手段】所定の基準同期信号を用いて、入力する映像信号のうち付随する同期信号の周波数が前記基準同期信号の周波数と等しい一又は複数の映像信号を合成し、当該一又は複数の映像信号に基づく一又は複数の映像を画面内の異なる領域に表示するための映像信号を出力する映像合成部と、入力する映像信号に付随する同期信号の周波数を判定する判定部と、同期信号の周波数が同一である映像信号の数が最も多い周波数である最多周波数を判定する多数決部と、最多周波数と判定された周波数の同期信号のうちのいずれかを基準同期信号として前記映像合成部へ入力する基準同期信号選択部と、を備える。【選択図】図１
2013005226.tif 000002
【特許請求の範囲】
【請求項１】
映像信号を入力する複数の映像入力部と、
所定の基準同期信号を用いて、前記映像入力部から入力する映像信号のうち付随する同期信号の周波数が前記基準同期信号の周波数と等しい一又は複数の映像信号を合成し、当該一又は複数の映像信号に基づく一又は複数の映像を画面内の前記複数の映像入力部の各々に対応する領域に表示するための映像信号を出力する映像合成部と、
前記映像入力部から入力する映像信号に付随する同期信号の周波数を判定する判定部と、
前記判定部による判定結果に基づき、同期信号の周波数が同一である映像信号の数が最も多い周波数である最多周波数を判定する多数決部と、
前記多数決部により最多周波数と判定された周波数の同期信号のうちのいずれかを基準同期信号として前記映像合成部へ入力する基準同期信号選択部と、
を備える映像信号処理装置。
【請求項２】
映像入力部毎に、映像信号の入力の有無の変化及び入力する映像信号に付随する同期信号の周波数の変化を監視する変化監視部をさらに有し、
前記基準同期信号選択部は、前記多数決部により最多周波数と判定される周波数が複数ある場合、当該最多周波数と判定された周波数の同期信号の代わりに、前記変化監視部により最後に変化が検出された映像入力部から入力する映像信号に付随する同期信号を基準同期信号として前記映像合成部へ入力する請求項１に記載の映像信号処理装置。
【請求項３】
請求項１又は２に記載の映像信号処理装置と、
前記映像合成部から出力される映像信号に基づく映像を表示する表示部と、
を備える表示装置。
【請求項４】
映像信号を入力する複数の映像入力部を有する映像信号処理装置の制御方法であって、
所定の基準同期信号を用いて、前記映像入力部から入力する映像信号のうち付随する同期信号の周波数が前記基準同期信号の周波数と等しい一又は複数の映像信号を合成し、当該一又は複数の映像信号に基づく一又は複数の映像を画面内の前記複数の映像入力部の各々に対応する領域に表示するための映像信号を出力する映像合成工程と、
前記映像入力部から入力する映像信号に付随する同期信号の周波数を判定する判定工程と、
前記判定工程による判定結果に基づき、同期信号の周波数が同一である映像信号の数が最も多い周波数である最多周波数を判定する多数決工程と、
前記多数決工程により最多周波数と判定された周波数の同期信号のうちのいずれかを前記映像合成工程において用いる基準同期信号とする基準同期信号選択工程と、
を有する映像信号処理装置の制御方法。
【発明の詳細な説明】
【技術分野】
【０００１】
本発明は、映像信号処理装置、その制御方法、及び表示装置に関する。
【背景技術】
【０００２】
複数の入力端子から入力する複数の映像信号に基づく複数の映像を画面分割により表示可能な画像表示装置がある。このような画像表示装置内では、各々の映像信号を個別に伝送し、表示部に出力する段階で表示部の仕様に合わせて複数の映像信号を合成し、画面分割表示のための映像信号を生成する映像合成処理が行われる。
【０００３】
この映像合成処理のために使用する基準同期信号として、特定の入力端子に入力された映像信号に付随した同期信号を用いる技術が知られている。
【０００４】
また、特許文献１には、複数の入力信号経路のうち選択された入力信号経路から同期信号が検出されない場合、順次、入力信号経路を切り換えていき、同期信号が検出されたら入力切り換え動作を停止することが開示されている。
【先行技術文献】
【特許文献】
【０００５】
【特許文献１】特開平06-051729号公報
【発明の概要】
【発明が解決しようとする課題】
【０００６】
しかしながら、上述した従来の技術では特定の入力端子に同期信号が入力されないと、映像合成処理が行えず、他の入力端子における映像信号入力の有無によらず画面分割表示できないため、ユーザはどの入力端子に映像信号を入力すべきか意識する必要があった。また、特許文献１の技術では、複数の入力端子から周波数の異なる同期信号が入力された場合に、映像合成処理に使用する適切な同期信号が選択されない場合があった。
【０００７】
本発明は、複数の入力端子から入力する映像信号を合成して複数の映像信号に基づく映像を画面分割により表示するための映像信号を出力する映像信号処理装置において、どの入力端子に映像信号を入力しても映像信号を出力できるようにすることを目的とする。
【課題を解決するための手段】
【０００８】
本発明は、映像信号を入力する複数の映像入力部と、所定の基準同期信号を用いて、前記映像入力部から入力する映像信号のうち付随する同期信号の周波数が前記基準同期信号の周波数と等しい一又は複数の映像信号を合成し、当該一又は複数の映像信号に基づく一又は複数の映像を画面内の前記複数の映像入力部の各々に対応する領域に表示するための映像信号を出力する映像合成部と、前記映像入力部から入力する映像信号に付随する同期信号の周波数を判定する判定部と、前記判定部による判定結果に基づき、同期信号の周波数が同一である映像信号の数が最も多い周波数である最多周波数を判定する多数決部と、前記多数決部により最多周波数と判定された周波数の同期信号のうちのいずれかを基準同期信号として前記映像合成部へ入力する基準同期信号選択部と、を備える映像信号処理装置である。
【０００９】
本発明は、映像信号を入力する複数の映像入力部を有する映像信号処理装置の制御方法であって、所定の基準同期信号を用いて、前記映像入力部から入力する映像信号のうち付随する同期信号の周波数が前記基準同期信号の周波数と等しい一又は複数の映像信号を合
成し、当該一又は複数の映像信号に基づく一又は複数の映像を画面内の前記複数の映像入力部の各々に対応する領域に表示するための映像信号を出力する映像合成工程と、前記映像入力部から入力する映像信号に付随する同期信号の周波数を判定する判定工程と、前記判定工程による判定結果に基づき、同期信号の周波数が同一である映像信号の数が最も多い周波数である最多周波数を判定する多数決工程と、前記多数決工程により最多周波数と判定された周波数の同期信号のうちのいずれかを前記映像合成工程において用いる基準同期信号とする基準同期信号選択工程と、を備える映像信号処理装置の制御方法である。
【発明の効果】
【００１０】
本発明によれば、複数の入力端子から入力する映像信号を合成して複数の映像信号に基づく映像を画面分割により表示するための映像信号を出力する映像信号処理装置において、どの入力端子に映像信号を入力しても映像信号を出力できるようになる。
【図面の簡単な説明】
【００１１】
【図１】実施例１に係る映像信号処理装置の構成図
【図２】実施例１に係る映像表示例を示す図
【図３】実施例２に係る映像信号処理装置の構成図
【図４】実施例２に係る映像表示の状態遷移の例を示す図
【発明を実施するための形態】
【００１２】
（実施例１）
図１は、本発明の実施例１に係る映像信号処理装置の構成図である。本実施例の映像信号処理装置は、映像合成処理部１００と表示部１１２からなる。
映像入力部１０１〜１０４は、外部の映像信号発生器からの映像信号及び同期信号（Ａ〜Ｄ）を入力する入力端子である。
【００１３】
入力モード判定部１０５〜１０８は、映像入力部１０１〜１０４からの映像信号の入力の有無の判定、及び、映像信号の入力が有る場合には入力する映像信号の映像信号モードの判定を行う。ここで、映像信号モードとは、映像信号に付随する同期信号の周波数（水平同期周波数、垂直同期周波数、画素クロック周波数など）による映像信号の分類である。付随する同期信号の周波数が同一である映像信号は、その映像信号モードが同一である。
【００１４】
入力モード多数決部１０９は、入力モード判定部１０５〜１０８による映像信号モードの判定結果に基づき、何れの映像信号モードが最多数であったかを判定する。判定された映像信号モードは、付随する同期信号の周波数が同一である映像信号の数が最も多い周波数である最多周波数に対応する映像信号モードである。
【００１５】
基準同期信号選択部１１０は、映像入力部１０１〜１０４から入力する同期信号Ａ〜Ｄのうち、入力モード多数決部１０９により最多数と判定された映像信号モードに対応する同期信号のいずれかを、映像合成処理に用いる基準同期信号として選択する。
【００１６】
映像合成部１１１は、基準同期信号選択部１１０により選択された同期信号を用いて、表示部１１２の仕様（画素数、アスペクト比など）に合わせて複数の映像信号Ａ〜Ｄを合成し、合成により生成した映像信号を表示部１１２へ出力する。映像合成部１１１は、表示部１１２の全表示領域を縦２分割、横２分割して、４つの分割領域の各々に映像入力部１０１〜１０４のそれぞれを割り当てる。映像合成部１１１は、各分割領域に対応する映像入力部から入力する映像信号Ａ〜Ｄに基づく映像の縮小スケーリング映像が画面内の４つの分割領域に表示されるような映像信号を生成する。映像合成部１１１は、映像入力部への映像信号の入力の有無によらず、常に４分割表示画面の映像信号を生成する。映像合
成部１１１は、映像信号が入力されていない映像入力部に対応する分割領域をブランクとする映像信号を生成する。或いは、映像合成部１１１は、映像信号が入力されていない映像入力部に対応する分割領域に、入力端子名を示す文字列や所定の画像を表示する映像信号を生成しても良い。
【００１７】
表示部１１２は、映像合成部１１１から入力する映像信号に基づき映像を描画する。表示部１１２としては、液晶モニタやＣＲＴ（Ｃａｔｈｏｄｅ  Ｒａｙ  Ｔｕｂｅ）など、どのような表示装置を用いても良い。
【００１８】
本実施例の映像合成処理部１００による映像合成処理に用いられる基準同期信号の選択及び出力される画面分割表示例について図２を用いて説明する。図２において、各分割領域と映像入力部との対応関係は下記のようになっている。
・左上の分割領域：映像入力部１０１（映像信号Ａ、同期信号Ａ）
・右上の分割領域：映像入力部１０２（映像信号Ｂ、同期信号Ｂ）
・左下の分割領域：映像入力部１０３（映像信号Ｃ、同期信号Ｃ）
・右下の分割領域：映像入力部１０４（映像信号Ｄ、同期信号Ｄ）
【００１９】
図２（Ａ）は、３つの映像入力部に映像信号が入力する場合の例を示す。入力モード判定部１０５〜１０８による判定結果は次のようであったとする。
・映像入力部１０１：入力無し
・映像入力部１０２：垂直同期信号６０Ｈｚ
・映像入力部１０３：垂直同期信号６０Ｈｚ
・映像入力部１０４：垂直同期信号５０Ｈｚ
【００２０】
入力モード多数決部１０９は、映像信号の入力が有る３つの映像入力部のうち２つの映像入力部から入力されている「垂直同期信号６０Ｈｚ」を最多の映像信号モードと判定する。
基準同期信号選択部１１０は、最多の映像信号モードである「垂直同期信号６０Ｈｚ」に対応する同期信号Ｂ又はＣのいずれかを映像合成処理に用いる基準同期信号として選択し、映像合成部１１１に対し選択した同期信号を与える。
よって、表示部１１２には、図２（Ａ）に示すように基準同期信号に対応する映像信号モードと同一の映像信号モードの映像信号Ｂ及びＣが表示される。
【００２１】
図２（Ｂ）は、４つの映像入力部に映像信号が入力する場合の例を示す。入力モード判定部１０５〜１０８による判定結果は次のようであったとする。
・映像入力部１０１：垂直同期信号６０Ｈｚ
・映像入力部１０２：垂直同期信号６０Ｈｚ
・映像入力部１０３：垂直同期信号６０Ｈｚ
・映像入力部１０４：垂直同期信号５０Ｈｚ
【００２２】
入力モード多数決部１０９は、映像信号の入力が有る４つの映像入力部のうち３つの映像入力部から入力されている「垂直同期信号６０Ｈｚ」を最多の映像信号モードと判定する。
基準同期信号選択部１１０は、最多の映像信号モードである「垂直同期信号６０Ｈｚ」に対応する同期信号Ａ，Ｂ，又はＣのいずれかを映像合成処理に用いる基準同期信号として選択し、映像合成部１１１に対し選択した同期信号を与える。
よって、表示部１１２には、図２（Ｂ）に示すように基準同期信号に対応する映像信号モードと同一の映像信号モードの映像信号Ａ,Ｂ,及びＣが表示される。
【００２３】
本実施例の制御によれば、映像入力部１０１〜１０４のいずれかの端子に映像信号の入
力があれば、最多数の映像信号モードに対応する同期信号が映像合成部１１１による映像信号処理に与えられるので、どの入力端子に映像信号を入力しても画面分割表示ができる。従って、ユーザはどの入力端子に映像信号を入力すれば良いか意識する必要がないので、利便性が高くなる。
【００２４】
（実施例２）
図３は、本発明の実施例２に係る映像信号処理装置の構成図である。本実施例の映像信号処理装置は、映像合成処理部２００と表示部１２５からなる。
【００２５】
映像入力部１１３〜１１６は、外部の映像信号発生器からの映像信号及び同期信号（Ａ〜Ｄ）を入力する入力端子である。
【００２６】
入力モード判定部１１７〜１２０は、映像入力部１１３〜１１６からの映像信号の入力の有無の判定、及び、映像信号の入力が有る場合には入力する映像信号の映像信号モードの判定を行う。
【００２７】
入力モード多数決部１２１は、入力モード判定部１１７〜１２０による映像信号モードの判定結果に基づき、何れの映像信号モードが最多数であったかを判定する。
【００２８】
入力モード変化監視部１２２は、入力モード判定部１１７〜１２０による映像信号モードの判定結果に基づき、映像入力部毎に、映像信号の入力の有無の変化（「無し」から「有り」への変化）を監視する。また、入力モード変化監視部１２２は、映像入力部毎に、入力する映像信号の映像信号モードの変化を監視する。そして、入力モード変化監視部１２２は、何れの映像入力部の変化が最後に検出されたか判断する。入力モード変化監視部１２２は、映像信号の入力がある映像入力部のうち、入力順が最後であった映像入力部を判定している。
【００２９】
基準同期信号選択部１２３は、映像入力部１１３〜１１６から入力する同期信号Ａ〜Ｄのうちから、映像合成処理の基準同期信号として用いる同期信号を選択する。
基準同期信号選択部１２３は、入力モード多数決部１２１により最多数と判定された映像信号モードが１つの場合、当該最多数と判定された映像信号モードに対応する同期信号のいずれかを基準同期信号として選択する。
基準同期信号選択部１２３は、入力モード多数決部１２１により最多数と判定された映像信号モードが複数ある場合、入力モード変化監視部１２２により最後に変化が検出された映像入力部から入力する同期信号を基準同期信号として選択する。
【００３０】
映像合成部１２４は、基準同期信号選択部１２３により選択された同期信号を用いて、表示部１２５の仕様に合わせて複数の映像信号Ａ〜Ｄを合成し、合成により生成した映像信号を表示部１２５へ出力する。映像合成処理の具体的な方法は実施例１と同様である。
【００３１】
表示部１２５は、映像合成部１２４から入力する映像信号に基づき映像を描画する。
【００３２】
本実施例の映像合成処理部２００による映像合成処理に用いられる基準同期信号の選択及び出力される画面分割表示例について図４を用いて説明する。図４において、各分割領域と映像入力部との対応関係は実施例１と同様である。
【００３３】
図４（Ａ）は、１つの映像入力部に映像信号が入力する場合の例を示す。入力モード判定部１１７〜１２０による判定結果は次のようであったとする（状態１）。
・映像入力部１１３：垂直同期信号５０Ｈｚ
・映像入力部１１４：入力無
・映像入力部１１５：入力無
・映像入力部１１６：入力無
【００３４】
入力モード多数決部１２１は、映像入力部１１３から入力されている「垂直同期信号５０Ｈｚ」を最多の映像信号モードと判定する。
入力モード変化監視部１２２は、映像入力部１１３が入力順が最後と判定する。
両判定結果から、最多と判定される映像信号モードが１つなので、基準同期信号選択部１２３は、最多の映像信号モードである「垂直同期信号５０Ｈｚ」に対応する同期信号Ａを映像合成処理に用いる基準同期信号として選択する。基準同期信号選択部１２３は、選択した同期信号Ａを映像合成部１２４に与える。
よって、表示部１２５には図４（Ａ）に示すように基準同期信号に対応する映像信号モードと同一の映像信号モードの映像信号Ａが表示される。
【００３５】
図４（Ｂ）は、状態１に続いて、映像入力部１１６に新たに映像信号Ｄが入力した状態２を示す。入力モード判定部１１７〜１２０による判定結果は次のようであったとする。・映像入力部１１３：垂直同期信号５０Ｈｚ
・映像入力部１１４：入力無
・映像入力部１１５：入力無
・映像入力部１１６：垂直同期信号６０Ｈｚ
【００３６】
入力モード多数決部１２１は、映像入力部１１３から入力されている「垂直同期信号５０Ｈｚ」と映像入力部１１６から入力されている「垂直同期信号６０Ｈｚ」の２つを最多の映像信号モードと判定する。
入力モード変化監視部１２２は、映像入力部１１６が入力順が最後と判定する。
両判定結果から、最多と判定される映像信号モードが複数有るので、基準同期信号選択部１２３は、入力順が最後である映像入力部１１６からから入力する同期信号Ｄを映像合成処理に用いる基準同期信号として選択する。基準同期信号選択部１２３は、選択した同期信号Ｄを映像合成部１２４に与える。
よって、表示部１２５には図４（Ｂ）が示すように基準同期信号に対応する映像信号モードと同一の映像信号モードの映像信号Ｄが表示される。
【００３７】
図４（Ｃ）は、状態２に続いて、映像入力部１１４に新たに映像信号Ｂが入力した状態３を示す。入力モード判定部１１７〜１２０による判定結果は次のようであったとする。・映像入力部１１３：垂直同期信号５０Ｈｚ
・映像入力部１１４：垂直同期信号５０Ｈｚ
・映像入力部１１５：入力無
・映像入力部１１６：垂直同期信号６０Ｈｚ
【００３８】
入力モード多数決部１２１は、映像入力部１１３及び１１６の２つの映像入力部から入力されている「垂直同期信号５０Ｈｚ」を最多の映像信号モードと判定する。
入力モード変化監視部１２２は、映像入力部１１４が入力順が最後と判定する。
両判定結果から、最多と判定される映像信号モードが１つなので、基準同期信号選択部１２３は、最多の映像信号モードである「垂直同期信号５０Ｈｚ」に対応する同期信号Ａ又はＢのいずれかを映像合成処理に用いる基準同期信号として選択する。基準同期信号選択部１２３は、選択した同期信号を映像合成部１２４に出力する。
よって、表示部１２５には図４（Ｃ）に示すように基準同期信号に対応する映像信号モードと同一の映像信号モードの映像信号Ａ及びＢが表示される。
【００３９】
本実施例の制御によれば、映像信号の入力有無の変化や映像信号モードの変化を映像入力部毎に監視し、入力順で最後の映像信号に付随する同期信号を映像合成処理に用いる。
入力順が最後の映像信号は、ユーザが直近に端子に接続した映像信号発生器からの映像信号と考えられるため、ユーザが最も視聴したい映像である可能性が高い。本実施例によれば、生成される画面分割表示映像には、必ず、ユーザが直近に端子に接続した映像信号発生器からの映像信号に基づく映像が含まれるので、利便性が高くなる。
【００４０】
なお、映像合成処理部１００（又は２００）と表示部１１２（又は１２５）とは一体構成されていても良いし別体構成であっても良い。一体構成されている場合、映像合成処理部１００（又は２００）及び表示部１１２（又は１２５）を備える画像表示装置は、複数の映像入力端子から入力する映像信号を合成して生成した映像信号に基づく映像を表示する。別体構成されている場合、映像合成処理部１００（又は２００）を備える映像信号処理装置は、複数の映像入力端子と、少なくとも１つの映像出力端子と、を有し、映像入力端子から入力する映像信号を合成して生成した映像信号を映像出力端子から出力する。映像出力端子と外部の画像表示装置や映像記録装置とを映像信号ケーブルで接続することにより、映像信号処理装置の出力する画面分割表示映像の表示や記録が可能になる。
【符号の説明】
【００４１】
１０１〜１０４：複数映像入力部、１０５〜１０８：入力モード判定部、１０９、１２１：入力モード多数決部、１１０、１２３：基準同期信号選択部、１１１、１２４：映像合成部
【図１】
2013005226.tif 000003
【図２】
2013005226.tif 000004
【図３】
2013005226.tif 000005
【図４】
2013005226.tif 000006